(57)【要約】【課題】結露により机などを濡らしてしまうことを防止する容器を提供することを目的とする。【解決手段】容器１０は、ガラス容器１１と、このガラス容器１１を支持する支持体１２とを有している。支持体１２は、両端が開口された中空体よりなり、ガラス容器１０の外側側面１１Ｅの下側から少なくとも一部を覆うように設けられている。支持体１２は、ガラス容器１１の底部１１Ｃよりも下側まで伸長して形成されており、ガラス容器１１の外側底面１１Ｆは、支持体１２の底部１２Ａよりも上側に位置している。【選択図】図２
0003196512.tif 000002
【実用新案登録請求の範囲】
【請求項１】
ガラス容器と、このガラス容器を支持する支持体とを有し、
前記支持体は、両端が開口された中空体よりなり、前記ガラス容器の外側側面の下側から少なくとも一部を覆うように設けられ、
前記ガラス容器の外側底面は、前記支持体の底部よりも上側に位置する
ことを特徴とする容器。
【請求項２】
前記支持体は、木材からなることを特徴とする請求項１記載の容器。
【請求項３】
前記支持体は、その一部を切り欠いた透視窓を有することを特徴とする請求項１又は２に記載の容器。
【請求項４】
前記支持体は、上端部開口の大きさは下端部開口の大きさよりも大きいことを特徴とする請求項１から３のいずれか１に記載の容器。
【考案の詳細な説明】
【技術分野】
【０００１】
本考案は、飲料等を入れるのに適した容器に関する。
に関する。
【背景技術】
【０００２】
一般に、冷たい飲料をグラスに入れると、グラスの表面に結露が生じてしまい、グラスを置いた机などが濡れてしまう。このため、例えば、コースターなどにグラスを載せて使用している。しかし、コースターを使用してもグラスの側面に生じた結露がコースターに流れて、グラスとコースターが張り付いてしまい、使い勝手がよくないという問題があった。なお、特許文献１には、飲料容器との付着連動を防止するコースターが開示されている。
【先行技術文献】
【特許文献】
【０００３】
【特許文献１】実登３１４９７６５号公報
【考案の概要】
【考案が解決しようとする課題】
【０００４】
そこで、コースターなどを使用しなくても、結露により机を濡らしてしまうことを防止する容器を開発することが求められていた。
【０００５】
本考案は、このような問題に基づきなされたものであり、コースターなどを使用しなくても、結露により机などを濡らしてしまうことを防止する容器を提供することを目的とする。
【課題を解決するための手段】
【０００６】
本考案の容器は、ガラス容器と、このガラス容器を支持する支持体とを有し、支持体は、両端が開口された中空体よりなり、ガラス容器の外側側面の下側から少なくとも一部を覆うように設けられ、ガラス容器の外側底面は、支持体の底部よりも上側に位置するものである。
【考案の効果】
【０００７】
本考案によれば、支持体を両端が開口された中空体とし、ガラス容器の外側側面の下側から少なくとも一部を覆うように設け、ガラス容器の外側底面を支持体の底部よりも上側に位置するようにしたので、例えば、机などに置いた時でも、ガラス容器の外側底面が接触することはないので、結露により机などを濡らしてしまうことを防止することができる。
【０００８】
また、支持体を木材からなるようにすれば、結露しにくくなると共に結露により水滴が発生しても吸収することができ、更に、耐熱性が優れているので、例えば、熱い飲料を入れても、熱さを感じにくくすることができる。
【０００９】
更に、支持体の一部を切り欠いた透視窓を有するようにすれば、ガラス容器内部の飲料の残量を確認することができる。
【００１０】
加えて、支持体の上端部開口の大きさを下端部開口の大きさよりも大きくするようにすれば、ガラス容器を設置しやすくすることができる。
【図面の簡単な説明】
【００１１】
【図１】本考案の一実施の形態に係る容器の構成を表す図である。
【図２】図１に示した容器の断面図である。
【図３】本考案の変形例を表す図である。
【考案を実施するための形態】
【００１２】
以下、本考案の実施の形態について、図面を参照して詳細に説明する。
【００１３】
図１は、本考案の一の実施の形態に係る容器１０の構成を表すものであり、図２は、その断面図である。この容器１０は、ガラス容器１１と、このガラス容器１１を支持する支持体１２とを備えている。ガラス容器１１は、例えば、中空状の側部１１Ａを有し、側部１１Ａの下端部１１Ｂは底部１１Ｃにより閉鎖され、上端部１１Ｄは開口されている。支持体１２は、両端が開口された中空体よりなり、ガラス容器１１の外側側面１１Ｅの下側から少なくとも一部を覆うように設けられている。支持体１２は、ガラス容器１１の底部１１Ｃよりも下側まで伸長して形成されており、ガラス容器１１の外側底面１１Ｆは、支持体１２の底部１２Ａよりも上側に位置している。このように、支持体１２の底部１２Ａがガラス容器１１の外側底面１１Ｆよりも上側に位置しているので、例えば、机などに置いた場合には、支持体１２の底部１２Ａのみが机などに接触し、ガラス容器１１の外側底部１１Ｆは、机などから離れた状態となり、机などとの間に空洞が生じ、結露により机などを濡らしてしまうことを防止することができるようになっている。
【００１４】
支持体１２は、金属やプラスチックなどでもよいが、木材により構成されることが好ましい。結露しにくくなると共に結露により水滴が発生しても吸収することができるからである。また、木の高い断熱性により、熱い飲食物を入れても、熱さを感じにくくすることができ、安全に持つことができると共に、高い保温性により、熱い飲食物又は冷たい飲食物を熱い状態又は冷たい状態で長時間保持することができるからである。木材としては、広葉樹よりも針葉樹の方が好ましい。空隙率が大きいので、断熱性および保温性をより高めることができるからである。
【００１５】
ガラス容器１１と支持体１２とは、着脱可能とされていてもよく、また、固着されていてもよい。着脱可能とされていれば、例えば、飲食物が付着したガラス１１を支持体１２から取り外して洗うことができるので、取り扱いが便利となり好ましい。また、固着されていれば、取り扱い時に、支持体１２からガラス容器１１が取れることがないので、安全に取り扱うことができるので好ましい。すなわち、用途に応じて選択することが好ましい。
【００１６】
支持体１２は、上端部開口１２Ｂの大きさが下端部開口１２Ｃの大きさよりも大きくなっていてもよい。ガラス容器１１の外側底部１１Ｆの大きさが、支持体１２の上端部開口１２Ｂの大きさよりも小さく、支持体１２の下端部開口１２Ｃの大きさよりも大きい場合には、ガラス容器１１の外側底部１１Ｆが支持体１２の底部１２Ａよりも上側に位置するようになるので、ガラス容器１１を支持体１２に容易に設置することができ、更に、支持体１２からガラス容器１１を容易に設着脱可能とすることができるからである。
【００１７】
支持体１２は、また、図３に示したように、その一部を切り欠いた透視窓１２Ｄを有するようにしてもよい。デザイン性に優れていると共に、ガラス容器１１の内部に入った飲料の残量を確認することができるからである。なお、ガラス容器１１の内部に入った飲料の残量を確認する場合には、透視窓１２Ｄの少なくとも一部が、ガラス容器１１の外側底部１１Ｆよりも上方にあればよい。透視窓１２Ｄの形状は、どのような形状であってもよく、例えば、文字や図形のようなものであってもよい。なお、図３では、ガラス容器１１の部分を梨地で示している。
【００１８】
支持体１２の外周面は、例えば、サンドブラストにより加工するようにしてもよい。支持体１２が木材により形成されている場合には、夏目と冬目とで硬さが異なるので削れ具合が異なり、これにより凹凸が生じ、滑りにくくなるからである。透視窓１２Ｄについても、サンドブラストにより形成するようにしてもよい。
【００１９】
なお、この容器１０は、飲料などを入れて用いるのに適しているが、飲料に限らず、何を入れるのに用いてもよい。例えば、豆、飴、チョコレート等のお菓子や、その他の食べ物を入れるのに用いてもよく、また、食べ物に限らず、筆などの小物を入れるのに用いてもよい。
【００２０】
このように本実施の形態によれば、支持体１２を両端が開口された中空体とし、ガラス容器１１の外側側面１１Ｅの下側から少なくとも一部を覆うように設け、ガラス容器１１の外側底面１１Ｆを支持体１２の底部１２Ａよりも上側に位置するようにしたので、例えば、机などに置いた時でも、ガラス容器の外側底面１１Ｆが接触することはないので、結露により机などを濡らしてしまうことを防止することができる。
【００２１】
また、支持体１２を木材からなるようにすれば、結露しにくくなると共に結露により水滴が発生しても吸収することができ、更に、耐熱性が優れているので、例えば、熱い飲料を入れても、熱さを感じにくくすることができる。
【００２２】
更に、支持体１２の一部を切り欠いた透視窓１２Ｄを有するようにすれば、ガラス容器１１の内部の飲料の残量を確認することができる。
【００２３】
加えて、支持体１２の上端部開口１２Ｂの大きさを下端部開口１２Ｃの大きさよりも大きくするようにすれば、ガラス容器１１を設置しやすくすることができる。
【００２４】
以上、実施の形態を挙げて本発明を説明したが、本発明は上記実施の形態に限定されるものではなく、種々変形可能である。例えば、蓋を備えていてもよい。この場合には、蓋の材質は何でもよいが、支持体１２に合わせた材質と同様にし、ガラス容器１１の側面全体が覆われるようにしてもよい。
【産業上の利用可能性】
【００２５】
飲食物等の各種の物を入れる容器に適用することができる。
【符号の説明】
【００２６】
１０…容器、１１…ガラス内容器、１１Ａ…側部、１１Ｂ…下端部、１１Ｃ…底部、１１Ｄ…上端部、１１Ｅ…外側側面、１１Ｆ…外側底面、１２…支持体、１２Ａ…底部、１２Ｂ…上端部開口、１２Ｃ…下端部開口、１２Ｄ…透視窓
【図１】
0003196512.tif 000003
【図２】
0003196512.tif 000004
【図３】
0003196512.tif 000005
【手続補正書】
【提出日】平成27年1月7日(2015.1.7)
【手続補正１】
【補正対象書類名】実用新案登録請求の範囲
【補正対象項目名】全文
【補正方法】変更
【補正の内容】
【実用新案登録請求の範囲】
【請求項１】
ガラス容器と、このガラス容器を支持する支持体とを有し、
前記支持体は、両端が開口された中空体よりなり、前記ガラス容器の外側側面の下側から少なくとも一部を覆い、かつ、ガラス容器の底部よりも下側まで伸長して形成され、
前記ガラス容器の外側底面は、前記支持体の底部よりも上側に位置する
ことを特徴とする容器。
【請求項２】
前記支持体は、木材からなることを特徴とする請求項１記載の容器。
【請求項３】
前記支持体は、その一部を切り欠いた透視窓を有することを特徴とする請求項１又は２に記載の容器。
【請求項４】
前記支持体は、上端部開口の大きさは下端部開口の大きさよりも大きいことを特徴とする請求項１から３のいずれか１に記載の容器。